(57)【要約】【課題】画面にプライミング放電に特化した要素を配置することなくアドレッシングの信頼性を向上させる。【解決手段】発色が異なる３個のセルからなる画素が縦横に並ぶカラー表示用の画面を備え、多階調のフレームを２階調の複数のサブフレームに置き換え、各サブフレームに対して書込み形式のアドレッシングを行って複数のサブフレームを順次表示する装置において、複数のフレームのそれぞれの表示における先頭のサブフレームの表示において、画面を構成するセルのうちでそれに対応する多階調データ値が最低輝度を指し示す値ではない非最低輝度セル、および非最低輝度セルに隣接する少なくとも１つのセルを強制的に点灯させる。【選択図】図５
2008070488.tif 000002
【特許請求の範囲】
【請求項１】
発色が異なる３個のセルからなる画素が縦横に並ぶカラー表示用の画面を備え、多階調のフレームを２階調の複数のサブフレームに置き換え、各サブフレームに対して書込み形式のアドレッシングを行って前記複数のサブフレームを順次表示するガス放電表示装置であって、
複数のフレームのそれぞれの表示における先頭のサブフレームの表示において、前記画面を構成するセルのうちでそれに対応する多階調データ値が最低輝度を指し示す値ではない非最低輝度セルを点灯させ、且つ前記非最低輝度セルに隣接する少なくとも１つのセルを強制的に点灯させる
ことを特徴とするガス放電表示装置。
【請求項２】
複数のフレームのそれぞれの表示における先頭のサブフレームの表示において、前記非最低輝度セルが対応する画素の全てのセルを強制的に点灯させる
請求項１に記載のガス放電表示装置。
【請求項３】
複数のフレームのそれぞれの表示における先頭のサブフレームの表示において、前記非最低輝度セルおよび前記非最低輝度セルに隣接する両側のセルを強制的に点灯させる
請求項１に記載のガス放電表示装置。
【請求項４】
前記画素が、発色が青であるセルとそれの両側に配置された発色が赤のセルおよび発色が緑のセルで構成される
請求項３に記載のガス放電表示装置。
【請求項５】
複数のフレームのそれぞれの表示における先頭のサブフレームの表示において、前記非最低輝度セルおよび前記非最低輝度セルに隣接する両側のセルのうちで発色の視感度が一般的に低い方のセルを強制的に点灯させる
請求項１に記載のガス放電表示装置。
【発明の詳細な説明】
【技術分野】
【０００１】
本発明は、プラズマディスプレイパネルやプラズマアドレス液晶などのガス放電によって発光するデバイスを備えたガス放電表示装置に関する。
【背景技術】
【０００２】
カラー映像の表示にＡＣ型プラズマディスプレイパネルが用いられている。この種のプラズマディスプレイパネルによる表示に際しては、表示データの階調値に応じた回数の表示放電を生じさせる点灯維持動作（サステイン）に先立って、線順次走査によるアドレッシングが行われる。アドレッシングは、画面の構成する発光素子であるセルのうちの点灯すべきセルに他のセルよりも多くの壁電荷を帯電させる点灯／非点灯の設定動作である。書込み形式のアドレッシングは点灯すべきセルのみでアドレス放電を起こし、消去形式のアドレッシングは点灯すべきでないセルのみでアドレス放電を起こす。
【０００３】
アドレス放電を確実に起こすには、放電遅れ時間よりもパルス幅の長い電圧パルスをセルに印加する必要がある。しかし、この制約を満たしつつ画面の高精細化および高解像度化を進めるのは難しい。セルサイズを縮小する高精細化によってセルサイズが縮小されると放電が起こりにくくなる。すなわち、放電遅れ時間が長くなる。高解像度化によって水平解像度が増えると、１表示ラインあたりの走査時間が短くなるので、パルス幅を短くしなければならない。
【０００４】
放電遅れ時間の短縮に関して、特開２００２−２９７０９１号公報において、走査電極の近傍に補助電極対を配置してプライミング放電を起こすことが提案されている。さらにその改良として、プライミング放電が過剰に空間電荷を供給してクロストークを招かぬように、隔壁で区画された補助セルでプライミング放電を起こすことが特開２００５−２１６５９３号公報において提案されている。
【特許文献１】特開２００２−２９７０９１号公報
【特許文献２】特開２００５−２１６５９３号公報に
【発明の開示】
【発明が解決しようとする課題】
【０００５】
プライミング放電のための電極対や補助セルを追加するというパネル構成の変更は、各セルの有効発光面積の割合である開口率を下げ、表示の輝度を低下させてしまう。また、表示デバイスの製造プロセスを複雑にし、良品率の低下を引き起こす。
【０００６】
本発明は、画面にプライミング放電に特化した要素を配置することなくアドレッシングの信頼性を向上させることを目的とする。
【課題を解決するための手段】
【０００７】
上記目的を達成するガス放電表示装置は、発色が異なる３個のセルからなる画素が縦横に並ぶカラー表示用の画面を備え、多階調のフレームを２階調の複数のサブフレームに置き換え、各サブフレームに対して書込み形式のアドレッシングを行って前記複数のサブフレームを順次表示する装置であって、複数のフレームのそれぞれの表示における先頭のサブフレームの表示において、前記画面を構成するセルのうちでそれに対応する多階調データ値が最低輝度を指し示す値ではない非最低輝度セルを点灯させ、且つ前記非最低輝度セルに隣接する少なくとも１つのセルを強制的に点灯させる。
【０００８】
“強制的に点灯させる”とは、注目するセルをそれに対応する多階調データ値の如何を問わず点灯させることを意味する。アドレッシングは書込み形式であるので、アドレッシングにおいては点灯させるセルでアドレス放電を起こす。
【０００９】
非最低輝度セルは複数のサブフレームの中の少なくとも１つにおいて点灯すべきセルである。したがって、非最低輝度セルを先頭のサブフレームで強制的に点灯させることにより、先頭のサブフレームでの表示放電で生じる空間電荷によるプライミング効果および表示放電による保護膜表面等の誘電体表面の活性化が、２番目以降のサブフレームでのアドレス放電を起こり易くし、アドレス放電ミスの発生を防ぐ。
【００１０】
加えて、先頭のサブフレームでの点灯に際して、非最低輝度セルとともに非最低輝度セルに隣接するセルを強制的に点灯させることにより、すなわち、非最低輝度セルが点灯しないセル（最低輝度セル）で囲まれる“孤立の点灯”が生じないようにすることにより、次の理由でアドレス放電が起こり易くなる。
【００１１】
隣接する複数のセルでアドレス放電を起こすので、各セルにアドレス放電を起こすためのアドレス電圧を加えたときに、隣接セルからの漏れ電界が加わって電界が強まる。また、複数のセルのうちで放電の比較的に起こり易いセルで先に起こったアドレス放電によるプライミング粒子が、隔壁頂面とその対向面との微小間隙を通って隣接セルへ流出し、隣接セルでのプライミング効果を生む。
【００１２】
非最低輝度セルが本来は先頭のサブフレームで点灯すべきではない場合、すなわち多階調データ値が２番目以降の単一または複数のサブフレームのみを点灯させるべき値である場合に、非最低輝度セルを先頭のサブフレームで強制的に点灯させることは、表示品質に影響を及ぼす。これに対しては、先頭のサブフレームの輝度の重みを小さくすることによって影響を小さいものにすることができる。実際には、輝度の重みの小さいサブフレームが点灯することの影響よりも、輝度の重みの大きいサブフレームでアドレス放電ミスが生じることの影響の方が重大である。ただし、本発明の実施において、必ずしも先頭のサブフレームの輝度の重みを最小の重みとする必要はない。輝度の重みが大きいほど、サブフレームにおける表示放電の回数が多くて保護膜表面等の誘電体表面の活性化が顕著であるので、以降のサブフレームに対するアドレス放電ミスの低減に大きく貢献する。これを踏まえて、先頭のサブフレームの輝度の重みを画面のアドレス放電特性に応じて適切に選定するのが望ましい。
【発明の効果】
【００１３】
本発明によれば、アドレス放電のための要素とは別にプライミング放電に特化した構成要素を画面に配置することなくアドレッシングの信頼性を向上させることができる。
【発明を実施するための最良の形態】
【００１４】
図１は本発明に係るガス放電表示装置の構成を示す図である。例示のガス放電表示装置１は、カラー表示用の画面５０をもつプラズマディスプレイパネル２と駆動のための複数の回路とから構成される。
【００１５】
画面５０には、第１の表示電極Ｘ、第２の表示電極Ｙ、およびアドレス電極Ａが配列されている。表示電極Ｙはアドレッシングにおいてスキャン電極として用いられる。表示電極Ｙとアドレス電極Ａとがアドレッシングのための電極マトリクスを構成する。表示電極Ｘにはサステインドライバ３が接続され、表示電極Ｙにはスキャンドライバ４およびサステインドライバ５が接続されている。そして、アドレス電極Ａにはアドレスドライバ６が接続されている。
【００１６】
ガス放電表示装置１には、図示しないＴＶチューナーまたはコンピュータといった画像出力装置から、画素転送用のクロックＣＬＫとともにＲＧＢの３色のそれぞれの階調値（明るさ）を示すデータＲ−ＤＦ，Ｇ−ＤＦ，Ｂ−ＤＦが入力される。フレームデータＤＦはこれらデータＲ−ＤＦ，Ｇ−ＤＦ，Ｂ−ＤＦからなる。
【００１７】
プラズマディスプレイパネル２は２値発光デバイスであるので、ガス放電表示装置１は、多階調のフレームを２階調の複数のサブフレームに置き換えて表示する。そのため、ガス放電表示装置１は、フレームデータＤＦをサブフレームデータに変換するフレーム分割回路７、サブフレームデータを一時的に記憶するメモリ８、およびメモリ８から所定のサブフレームデータを読み出してアドレスドライバ６へ送るデータ転送回路９を備えている。
【００１８】
フレーム分割回路７は、データＲ−ＤＦ，Ｇ−ＤＦ，Ｂ−ＤＦをそれぞれサブフレームデータに変換する。サブフレームデータは、１セル当たり１ビットのデータの集合であって、その各ビットの値は該当する１つのサブフレームにおけるセルの点灯の要否、厳密にはアドレス放電の要否を示す。例示において、サブフレーム数は１１である。以下において、表示順序における先頭から末尾までのサブフレームを順にＳＦ１，ＳＦ２，・・・ＳＦ１０，ＳＦ１１という。図示もこれに準じる。
【００１９】
データ転送回路９は、各ＳＦ１〜ＳＦ１１に対して行われるアドレッシングにおいて、表示ラインの走査に同期して、画面５０の色配列に整合する順序で３色のサブフレームデータを読み出してアドレスドライバ６へシリアル出力する。
【００２０】
画面５０の色配列は、図２のとおり水平方向にＲ，Ｂ，Ｇの順に３色が繰り返し配置され、垂直方向に同じ色のセルが並ぶ配列である。画面５０では、画像の１画素に対応するセルの組（これを便宜的に画素と呼ぶ）５１は、Ｇ（緑）のセル５３とそれに隣接するＲ（赤）のセルおよびＢ（青）セルの計３個のセルで構成される。
【００２１】
セル構造の典型例を図３に示す。表示電極Ｘおよび表示電極Ｙは前面ガラス基板１１上に配置され、誘電体層１３および保護膜１４で覆われている。アドレス電極Ａは背面ガラス基板２１上に配置され、誘電体層２２で覆われている。誘電体層２２上にガス封入空間を区画する隔壁２３が等間隔に配置され、隔壁の配列間隙に間にセルの発色を決めるＲの蛍光体２４、Ｇの蛍光体２５、およびＢの蛍光体２６が配置されている。図では離れているが、実際は隔壁２３の頂面と保護膜１４とが当接する。
【００２２】
アドレッシングは該当するサブフレームの表示において点灯すべきセルでアドレス放電を起こす書込み形式である。点灯すべきセルには、表示電極Ｙとアドレス電極Ａとの間にアドレス放電を起こす電圧が印加される。アドレス放電は適量の壁電荷を形成する。
【００２３】
アドレッシングに続くサステインにおいて、表示電極Ｘと表示電極Ｙとの電極対に交流電圧が印加される。点灯すべきセルのみで表示放電が起こり、放電ガスの放つ紫外線が蛍光体２４，２５，２６を励起する。励起された蛍光体２４，２５，２６は発光する。表示放電による発光が点灯である。
【００２４】
以上の構成をもつガス放電表示装置１は、複数のフレームのそれぞれの表示における先頭のＳＦ１の表示において、画面５０を構成するセル５１のうちでそれに対応するフレームデータＤＦの階調値が最低輝度を指し示す値（一般に０）ではない非最低輝度セルを点灯させ、且つ非最低輝度セルに隣接する少なくとも１つのセルを強制的に点灯させる。本実施形態において、このような特徴的な動作はフレーム分割回路７によって実現される。すなわち、フレーム分割回路７が、ＳＦ１において非最低輝度セルおよびそれに隣接するセルを点灯させるサブフレームデータを生成する。
【００２５】
フレーム分割回路７は、図４の変換テーブル７０で表されるようなフレームからサブフレームへの変換を行う手段と、以下の実施例１〜４のようにＳＦ１に対する変換結果を修正する手段とを備えている。
【００２６】
変換テーブル７０は、例えば２５６階調のフレームデータＤＦの階調値（０〜２５５）のそれぞれに対して、１１個のＳＦ１〜ＳＦ１１の点灯／非点灯の組合せ（点灯パターン）を対応づける。図中の括弧内の数値は輝度の重みを表す。そして、点灯は「１」で非点灯は「０」で表されている。
【００２７】
図４において丸印で強調されているとおり、変換テーブル７０の重要な特徴は、最低輝度を指し示す階調値「０」を除く他の全ての階調値「１」〜「２５５」について、ＳＦ１が点灯とされていることである。ここで、例えば階調値「７」を表示する点灯パターンとして、ＳＦ２〜ＳＦ４を点灯とするパターン、およびＳＦ５のみを点灯とするパターンがある。しかし、変換テーブル７０において階調値「７」に対応するのは、ＳＦ１，ＳＦ３およびＳＦ４を点灯するパターンである。このように変換テーブル７０では、表現可能な点灯パターンが複数ある階調値について、ＳＦ１を非点灯とするパターンは採用されず、ＳＦ１を点灯とするパターンが採用されている。
【００２８】
変換テーブル７０に則した変換は、先頭のＳＦ１の表示において、階調値「１」〜「２５５」に対応する非最低輝度セルを点灯させる。ＳＦ１での点灯は、階調値「２」〜「２５５」の非最低輝度セルにおけるＳＦ２またはそれ以後のＳＦ３〜ＳＦ１１のアドレス放電ミスを防ぐ。
【００２９】
変換テーブル７０によれば、非最低輝度セルのＳＦ１での点灯は、プライミングのための付加的な点灯ではなくフレームデータＤＦの階調値を表現する本来の点灯であるので、表示品質を何ら損なわない。
【００３０】
なお、１フレームに対応するサブフレームの数、各サブフレームの輝度の重み、重み配列（サブフレームの表示順序）は例示に限らない。特に重み配列は重みの大きさの順に限らず、擬輪郭の低減に有効な配列とするのが望ましい。
【実施例１】
【００３１】
図５は点灯パターンの修正の第１例を示す。この例はＳＦ１を無彩色（白と黒のモノクロ）とするものである。上述した図４の変換テーブル７０に従った修正前のサブフレーム（これをＳＦ１’という）では、ＳＦ１において非最低輝度セルは点灯する。しかし、非最低輝度セルの周囲のセルが最低輝度セルであれば、非最低輝度セルの点灯が孤立の点灯となる。孤立の点灯を無くすため、第１例では図中の（ｂ）〜（ｈ）のように非最低輝度セルを含む画素に属する３個のセルを全て点灯させる。３色のセルが発光するので、非最低輝度セルを含む画素の発色は白色である。３個のセルが最低輝度セルである画素では、図中の（ａ）のように修正前と後とで変わらず、ＳＦ１において３個のセルが非点灯となる。
【００３２】
このような点灯パターン修正の第１例は図６に示す構成のフレーム分割回路７ａによって実現することができる。
【００３３】
フレーム分割回路７ａは、３色のフレームデータＲ−ＤＦ，Ｇ−ＤＦ，Ｂ−ＤＦを変換テーブル７０に従ってサブフレームデータＲ−ＳＦ１’，Ｒ−ＳＦ２〜Ｒ−ＳＦ１１，Ｇ−ＳＦ１’，Ｇ−ＳＦ２〜Ｇ−ＳＦ１１，Ｂ−ＳＦ１’，Ｂ−ＳＦ２〜Ｂ−ＳＦ１１に変換するブロック７１、およびブロック７１の出力するサブフレームデータＲ−ＳＦ１’，Ｇ−ＳＦ１’，Ｂ−ＳＦ１’の論理和演算をする論理回路７２から構成される。
【００３４】
ブロック７１が出力するＳＦ２〜ＳＦ１１のサブフレームデータがそのままメモリ８に書き込まれ、先頭のＳＦ１については論理回路７２の出力が３色共通にメモリ８に書き込まれる。
【００３５】
なお、ブロック７１の機能をルックアップテーブル（ＬＵＰ）によって実現してもよいし、論理演算回路によって実現してもよい。
【実施例２】
【００３６】
図７は点灯パターンの修正の第２例を示す。第２例は、３色の中で一般的に視感度が低いＢ（青）のセルまたはＲ（赤）のセルを強制的に点灯させることによって、非最低輝度セルの孤立の点灯を無くすものである。一般にＲ，Ｇ，Ｂの視感度の相対比は３：６：１またはこれに近い値であるので、Ｇ（緑）のセルを強制的に点灯させ場合と比べてＢまたはＲのセルを強制的に点灯させても表示品質への影響は小さい。
【００３７】
左からＲ，Ｇ，Ｂの順に並ぶ色配列において、注目画素のＲのセルが孤立点灯する場合には、（ｂ）のように左側の画素のＢのセルを点灯させる。Ｇのセルが孤立点灯する場合には、（ｃ）のように当該注目画素のＢのセルを点灯させる。Ｂのセルが孤立点灯する場合には、（ｄ）のように右側の画素のＲのセルを点灯させる。Ｇ，Ｂのセルが点灯の場合やＲ，Ｇのセルが点灯の場合には、孤立点灯でないので、（ｅ）（ｇ）のとおり点灯パターンを修正しない。Ｒ，Ｂが点灯の場合には、（ｆ）のように左側の画素のＢのセルおよび右側の画素のＲのセルを点灯させる。このような点灯パターン修正を各色のセルに注目して整理すると、次の論理が導かれる。
【００３８】
ＳＦ１において注目する画素のＲのセルが点灯するのは、当該セルが非最低輝度セルである場合、または注目画素のＧのセルが非点灯で且つ左側の画素のＢのセルが点灯である場合である。Ｇのセルが点灯するのは、当該セルが非最低輝度セルである場合のみである。Ｂのセルが点灯するのは、当該セルが非最低輝度セルである場合、注目画素のＧのセルが点灯である場合、または右側の画素のＲのセルが点灯で且つＧのセルが非点灯である場合である。
【００３９】
第２例においては、ＢおよびＲのセルのＳＦ１のサブフレームデータを決めるにあたって、複数の画素の点灯パターンに注目しなければならない場合がある。具体的には図７中の（ｂ）（ｄ）（ｆ）の場合がそれに該当する。これらの場合には図８のように隣接画素を参照する必要がある。
【００４０】
図８のようにフレームデータは画素の配列順に処理される。図示の例では画素の各行において左から右への順に処理される。したがって、例えば、（ｂ）の場合、[ｊ−１]番目の画素を処理する段階で、それより後の[ｊ]番目の画素を参照する。また、（ｆ）の場合は、[ｊ＋１]番目の画素を処理する段階で、それより前の[ｊ]番目の画素を参照する。
【００４１】
このような点灯パターン修正の第２例は図９に示す構成のフレーム分割回路７ｂによって実現することができる。
【００４２】
フレーム分割回路７ｂは、上述の例と同様のブロック７１、およびブロック７１の出力するサブフレームデータＲ−ＳＦ１’，Ｇ−ＳＦ１’，Ｂ−ＳＦ１’の論理演算をする論理回路７３から構成される。
【００４３】
ＳＦ２〜ＳＦ１１についてはブロック７１が出力するサブフレームデータがそのままメモリ８に書き込まれ、先頭のＳＦ１については論理回路７３の色別の出力がメモリ８に書き込まれる。
【００４４】
論理回路７３は、隣接する３個の画素のデータに基づいてＳＦ１のサブフレームデータを生成するために、データを遅延させる５個のフリップフロップを有している。これらフリップフロップは、Ｒについては１段階、ＧおよびＢについて２段階のデータ遅延をするように配置されている。各色の１段目のフリップフロップの入力は図８の[ｊ＋１]番目の画素に対応し、１段目のフリップフロップの出力は[ｊ]番目の画素に対応する。２段目のフリップフロップの出力は[ｊ−１]番目の画素に対応する。
【実施例３】
【００４５】
図１０は点灯パターンの修正の第３例を示す。第３例は、非最低輝度セルの両側のセルを強制的に点灯させることによって、非最低輝度セルの孤立の点灯を無くすものである。
【００４６】
注目画素のＲのセルが孤立点灯する場合には、（ｂ）のように左側の画素のＢのセルおよび注目画素のＧのセルを点灯させる。Ｇのセルが孤立点灯する場合には、（ｃ）のように注目画素のＲ，Ｂのセルを点灯させる。Ｂのセルが孤立点灯する場合には、（ｄ）のように注目画素のＧのセルおよび右側の画素のＲのセルを点灯させる。Ｇ，Ｂのセルが点灯の場合には、（ｅ）のように注目画素のＲのセルおよび右側の画素のＲのセルを点灯させる。Ｒ，Ｂのセルが点灯の場合には、（ｆ）のように左側の画素のＢのセル、注目画素のＧのセルおよび右側の画素のＲのセルを点灯させる。Ｒ，Ｇのセルが点灯の場合には、（ｇ）のように左側の画素のＢのセルおよび注目画素のＢのセルを点灯させる。このような点灯パターン修正を各色のセルに注目して整理すると、次の論理が導かれる。
【００４７】
ＳＦ１において注目する画素のＲのセルが点灯するのは、当該セルが非最低輝度セルである場合、注目画素のＧのセルが点灯の場合、または左側の画素のＢのセルが点灯の場合である。Ｇのセルが点灯するのは、当該セルが非最低輝度セルである場合、注目画素のＲのセルが点灯の場合、または注目画素のＢのセルが点灯の場合である。Ｂのセルが点灯するのは、当該セルが非最低輝度セルである場合、注目画素のＧのセルが点灯の場合、または右側の画素のＲのセルが点灯の場合である。
【００４８】
このような点灯パターン修正の第３例は図１１に示す構成のフレーム分割回路７ｃによって実現することができる。フレーム分割回路７ｃは、上述の例と同様のブロック７１、およびブロック７１の出力するサブフレームデータＲ−ＳＦ１’，Ｇ−ＳＦ１’，Ｂ−ＳＦ１’の論理演算をする論理回路７４から構成される。
【００４９】
ＳＦ２〜ＳＦ１１についてはブロック７１が出力するサブフレームデータがそのままメモリ８に書き込まれ、先頭のＳＦ１については論理回路７４の色別の出力がメモリ８に書き込まれる。
【実施例４】
【００５０】
図１２は実施例４に係る画面の色配列を示す。図１２の画面５０ｂの色配列は、水平方向にＲ，Ｂ，Ｇの順に３色が繰り返し配置され、垂直方向に同じ色のセルが並ぶ配列である。画面５０ｂにおいても上述の例と同様に、画像の１画素に対応するセルの組（これを便宜的に画素と呼ぶ）５１ｂは、Ｂ（青）セルとそれに隣接するＲ（赤）のセルおよびＧ（緑）のセル５３の計３個のセルで構成される。画面５０ｂの重要な特徴は、各画素５１ｂにおいてＢのセルが中央に配置されている点である。
【００５１】
図１３は点灯パターンの修正の第４例を示す。第４例は、非最低輝度セルの属する画素の他のセルを強制的に点灯させることによって、非最低輝度セルの孤立の点灯を無くすものである。第４例によれば、注目画素での孤立点灯を無くすために他の画素のセルを強制的に点灯させる上述の第２例および第３例と比べて、水平方向の解像度を良好にすることができる。
【００５２】
このような点灯パターン修正の第３例は図１４に示す構成のフレーム分割回路７ｄによって実現することができる。フレーム分割回路７ｄは、上述の例と同様のブロック７１、およびブロック７１の出力するサブフレームデータＲ−ＳＦ１’，Ｇ−ＳＦ１’，Ｂ−ＳＦ１’の論理演算をする論理回路７４から構成される。
【００５３】
ＳＦ２〜ＳＦ１１についてはブロック７１が出力するサブフレームデータがそのままメモリ８に書き込まれる。また、Ｇについてはブロック７１が出力するＳＦ１’のサブフレームデータがそのままＳＦ１のサブフレームデータとしてメモリ８に書き込まれる。ＲおよびＢについては論理回路７４の出力がＳＦ１のサブフレームデータとして色別にメモリ８に書き込まれる。
【００５４】
以上の実施形態において、装置の全体構成、画面のセル構造、色配列、フレーム分割回路の構成、１フレームに対応するサブフレームの数、サブフレームに与える輝度の重み、重み配列などは、本発明の趣旨に沿う範囲内で適宜変更することができる。
【産業上の利用可能性】
【００５５】
本発明は、パーソナルコンピュータやワークステーションなどの情報処理機器のディスプレイ、平面型のテレビジョン、広告や案内情報などの公衆表示用のディスプレイなど、ガス放電によってカラー表示を行う各種の表示装置に利用することができる。
【図面の簡単な説明】
【００５６】
【図１】本発明に係るガス放電表示装置の構成を示す図である。
【図２】画面の色配列を示す図である。
【図３】画面のセル構造の一例を示す分解斜視図である。
【図４】フレーム分割に係る変換テーブルの一例を示す図である。
【図５】点灯パターンの修正の第１例を示す図である。
【図６】点灯パターンの修正の第１例を実現する回路の一例を示す図である。
【図７】点灯パターンの修正の第２例を示す図である。
【図８】複数の画素が関係する処理の説明図である。
【図９】点灯パターンの修正の第２例を実現する回路の一例を示す図である。
【図１０】点灯パターンの修正の第３例を示す図である。
【図１１】点灯パターンの修正の第３例を実現する回路の一例を示す図である。
【図１２】実施例４に係る画面の色配列を示す図である。
【図１３】点灯パターンの修正の第４例を示す図である。
【図１４】点灯パターンの修正の第４例を実現する回路の一例を示す図である。
【符号の説明】
【００５７】
１    ガス放電表示装置
５２，５３，５４    セル
５０，５０ｂ    画面
ＤＦ    フレームデータ
ＳＦ１〜ＳＦ１１  サブフレーム
【図１】
2008070488.tif 000003
【図２】
2008070488.tif 000004
【図３】
2008070488.tif 000005
【図４】
2008070488.tif 000006
【図５】
2008070488.tif 000007
【図６】
2008070488.tif 000008
【図７】
2008070488.tif 000009
【図８】
2008070488.tif 000010
【図９】
2008070488.tif 000011
【図１０】
2008070488.tif 000012
【図１１】
2008070488.tif 000013
【図１２】
2008070488.tif 000014
【図１３】
2008070488.tif 000015
【図１４】
2008070488.tif 000016